(57)【特許請求の範囲】
【請求項１】
表面に多数の突起を形成して成るモータ駆動方式の剣山ドラムの側方に接近して、対向するように多数の切開刃を取り付けた取付金具を剣山ドラムとの間にＶ字状を呈するようにして配置すると共に、このようにして対向させた剣山ドラムと切開刃との間に上方から小袋を投入するホッパーを配置して成る破袋手段と、
前記破袋手段の下方に配置されていて、前記破袋手段で破袋された小袋を搾りドラムとＶベルト間に、又はメッシュベルト間に受け入れて破袋された小袋を搾りドラムとベルト間に挟み込んで圧搾することにより、袋内から内容物を搾り出し、かつベルトを介して下方にこの搾り出した内容物を排出する圧搾手段と、
前記圧搾手段の下方において、搾り出された内容物を汁受ホッパーで受け止めて、機外に排出する廃液手段と、
から成る小袋破袋機。
【発明の詳細な説明】
【０００１】
【発明の属する技術分野】
本発明は、たれ、醤油、ソース等のような調味液体、あるいは薬液等であって、小袋入りの商品を廃棄する際に用いられる破袋機に関する。賞味期限の切れた小袋入の調味液等の商品を廃棄する場合には、この小袋（通常はプラスチックフィルム製）を破袋して中味を搾り出し、廃液と小袋に分別することが必要となる。
しかし、例えば、横が３ｃｍ、縦が４ｃｍの小袋を例にとると、このような小さな袋を破袋して小袋と中味を分別する場合、数が少ない場合にはカッター等を用いて手作業により行うことも可能である。しかし、数が多くなった場合には、手作業での破袋作業には時間と人件費が嵩むことから、これを自動化できないか、との要望が強い。特に最近の加工食品や弁当、鍋物、おでん等のような商品の場合には、小袋に入れた調味料や汁が別添となっているケースが非常に多い。このため、上記自動化の要望が益々強まって来ているのが現状である。
【０００２】
現在、破袋を目的とした装置としては、次のようなものがある。
１．特開平１０−２８６４８２号
この発明は、ごみ袋に無理な荷重をかけることなくして確実にごみ袋を破袋でき、更にごみ袋の内部にごみを入れた小袋があってもこれを破袋することが可能な破袋装置に関するもので、その構成は、対向する第１及び第２のガイド部材の間にごみ袋を通過させて、第１及び第２のガイド部材にそれぞれ形成された隙間から突出状態でごみ袋の搬送方向に移動する第１及び第２の刃物によってごみ袋を破る破袋装置であって、第１のガイド部材の内側に、ごみ袋内の磁着体を吸収してごみ袋を偏平状にする強力な磁石を配置したことを特徴とするものである。
【０００３】
２．特開平１０−１９２７２８号
この発明は、回収袋を破袋して、回収品を残らず取り出すことができ、しかも、回収品を回収袋から機械的に分離でき、小袋が収容された回収袋であって、しかも、回収品を回収袋及び小袋から分離できる回収袋の破袋装置に関するもので、その構成は、回収品が収納された回収袋を投入するための回収袋投入口の下方に水平に破袋コンベアが設けられ、破袋コンベアのスラットの外側面には、回収袋を切り裂くための破袋刃が取り付けられ、この破袋コンベアの下方に回収品を回収する回収部が設けられた装置であって、回収部に回収品が通過しうる隙間が形成された第１案内板および第２案内板が設けられており、第１案内板の上面部にはストッパーが取り付けられ、破袋コンベアの上方にその走行方向逆向きで下向きに刃を向けた補助刃が上下に揺動自在に設けられていることを特徴とするものである。
【０００４】
３．特開平６−１７０２６８号
この発明は、ゴミ袋に対し、一度に無理な破袋抵抗力を作用させずに適度の破袋力により、円滑な破袋を行うことができるとともに、ゴミ袋が詰った場合には擺動可能の板状刃体を外方へ擺動ロックしてゴミ袋を容易に払い出すことができ、またゴミ袋の大きさに応じて回転刃体と板状刃体の対向間隔を調整することにより、小さなゴミ袋でも円滑かつ効率の良い破袋を行うことができ、しかも装置を小型化して小さな設置場所に簡単に設置して破袋作業を効率良く行うことができる破袋装置に関し、破袋機本体内上部に設けたゴミ袋投入ホッパー内に板状刃体を所要数回転軸周りにその取付位相を変え、かつ所要間隔をあけて並列状に設けた回転刃体を配設するとともに前記板状刃体間に下端刃部を臨ませた所要数の板状刃体の上端部を前記破袋機本体の支点軸に回転自在に枢支し、前記板状刃体を擺動装置により擺動可能としたことを特徴とするものである。
【０００５】
【従来の技術】
しかし、上記各公知例は、破袋自体は可能であるが、すべて大きな袋を対象としており、小袋には適用できない。また、この公知例は、ごみ類が主体であって、調味液等が入った小袋の破袋と、破袋後における小袋と調味液等の処理（分別）問題については触れていない。
【０００６】
【発明が解決しようとする課題】
本発明は、斯る点に鑑みて提案されるものであって、その目的は、調味液等の入った小袋を自動的に破袋し、次にこの破袋した小袋内から内容物を可及的に搾り出して小袋内に残留させないようにすると共に破袋後の小袋と内容物を自動的に分別することができる小袋破袋機を提供することである。
【０００７】
【課題を解決するための手段】
上記目的を達成するため、請求項1に記載の発明においては、小袋破袋機において、表面に多数の突起を形成して成るモータ駆動方式の剣山ドラムの側方に接近して、対向するように多数の切開刃を取り付けた取付金具を剣山ドラムとの間にＶ字状を呈するようにして配置すると共に、このようにして対向させた剣山ドラムと切開刃との間に上方から小袋を投入するホッパーを配置して成る破袋手段と、
前記破袋手段の下方に配置されていて、前記破袋手段で破袋された小袋を搾りドラムとＶベルト間に、又はメッシュベルト間に受け入れて破袋された小袋を搾りドラムとベルト間に挟み込んで圧搾することにより、袋内から内容物を搾り出し、かつベルトを介して下方にこの搾り出した内容物を排出する圧搾手段と、
前記圧搾手段の下方において、搾り出された内容物を汁受ホッパーで受け止めて、機外に排出する廃液手段と、
から成ることを特徴とするものである。
【００１２】
【作用】
被破袋用の小袋をホッパーに投入すると、この小袋は、回転中の剣山ドラムによって切開刃のところに巻き込まれたのち、切開刃を通過するときにこの切開刃により切れ長に破袋される。このようにして破袋されると、内容物の一部は小袋内から流出し、小袋はスクレーパーの作用で剣山ドラムから離れて下方に落下する。この破袋手段の下には、圧搾手段が待ち受けていて、小袋はこの圧搾手段のＶベルト又はメッシュベルトで受け止められたのち、搾りドラムとＶベルト又はメッシュベルト間で圧搾される。この結果、小袋内の内容物はすべて搾り出される。
内容物が搾り出され、偏平となった小袋は、搾りドラムスクレーパーで剥ぎとられたのち、搾りドラムとＶベルト又はメッシュベルト間から廃袋シュートを経由して機外に排出される。一方、小袋内から搾り出された内容物は、Ｖベルト又はメッシュベルトから廃液手段の廃液ホッパー内に流下して集液されたのち、機外に排出される。
【００１３】
【発明の実施の形態】
本発明に係る小袋破袋機は、醤油、ソース、各種たれ等のような調味液が入った小袋を自動的に破袋して内部から調味液を搾り出すと共にこのようにして破袋した小袋と調味液を分別するときに用いられる。但し、上記調味液の例は一例であって、その他の液体、例えば薬液、化学剤等が入った小袋の破袋にも用いることができる。つまり、本発明の用途は、調味液の入った小袋だけに限定されない。
本発明において、小袋とは、所謂プラスチックフィルム製のもの以外に、例えば１回使用分の入ったミルク容器等のように、切開刃で切開できるプラスチック、アルミニウム、紙製容器等も含む概念である。
【００１４】
【実施例】
図１〜図１１に基づいて、本発明の実施例を詳細に説明する。図１は、破袋機の全体を示す正面図、図２は図１において、右方向から見た側面図である。この図１、図２において、符号の１は機体、２は機体１を４隅で支えている架台であって、この架台２の下には、高さ（水平）調節用のアジャスター３が取り付けられている。
４は機体１に軸受６により横架された回転軸５により支持されている剣山ドラムであって、この剣山ドラム４の表面には、図３〜図４に示すように、突起７が多数形成されている。なお、この剣山ドラム４の突起７は、円盤の周縁をカットして形成したもの、例えば丸鋸状のものをドラムのスペーサ間に挟み込んで一定の間隔で固定することにより形成されており、このようにするとドラムの表面に植え込んだ突起に比較して、取り付け方による緩みの発生、抜け落ちがなく、量産化した場合にコスト減が可能である。
【００１５】
８は前記剣山ドラム４の側方であって、回転軸５よりやや低い位置において、剣山ドラム４に接近して配設された切開刃であって、この切開刃８は、図６〜図９に示すように、切開刃取付金具９に形成した切開刃取付部１０に対し、横一列に一定の間隔で取り付けられており、この取り付けられた切開刃８は、取付部ガイド１１をビス１２で取付金具９に取り付けることによって保持固定されている。なお、切開刃８は、千鳥状あるいは複数列に配列することにより、切開効率を高めるようにしても良い。又、切開刃８の交換は簡易的にできることを前提とし、切開刃８の形状や配列、取扱方法は、本案にとどまらず、適宜最善化するものとする。１３は剣山ドラム４と切開刃８のところにホッパー口１４を開口させた小袋投入ホッパーである。以上、剣山ドラム４及び切開刃８を以って破袋手段Ａと称す。
１５は剣山ドラムスクレーパーであって、破袋後、剣山ドラム４に付着している小袋を剥ぎ落とすものである。１６は剣山ドラムスクレーパー金具である。
【００１６】
１７は上記破袋手段Ａの下に配設された搾りドラムであって、この搾りドラム１７は、軸受１９間に横架された回転軸１８に取り付けられている。
２０は前記搾りドラム１７の下半にＶ字状に走行しながら圧接しているＶベルト、２１、２２、２３はＶベルトプーリ、２４は搾りドラム１７側に付着している搾り後の小袋を剥ぎとる出口用スクレーパ、２５は廃袋シュートである。なお、Ｖベルト２０は、複数本を並べて使用されていて、搾られた液は、このＶベルト２０の隙間を経由して下方に流下する。又、本実施例の場合、Ｖベルト２０は、汚れ防止、洗浄の容易性を目的として、ポリウレタン製としているが、これ以外の材質のものを使用してもよい。あるいは、メッシュベルトを用いても良い。
以上の搾りドラム１７とＶベルト２０を以って圧搾手段Ｂと称す。
【００１７】
２６は前記圧搾手段Ｂの下方に配設されたＶ字状の汁受ホッパーであって、前記破袋時及び圧搾時に流出したすべての液体は、この汁受ホッパー２６で受け止められたのち、排出口２７から機外に排出される。以上、汁受ホッパー２６、排出口２７を以って排液手段Ｃと称す。
２８は機体１の最上段に架台２９により取り付けられた駆動用モータであって、この駆動用モータ２８の出力は、駆動用スプロケット３０から伝導用チェン３１、３１ａを経由して剣山ドラム４及び搾りドラム１７に伝達され、Ｖベルト２０は、搾りドラム１７に圧接していることにより、この搾りドラム１７の回転で一緒に回転（走行）する。３２は制御ボックスである。
【００１８】
上記実施例について、その運転例を図１０、１１に基づいて次に説明する。
先ず、調味液の入った小袋ａをホッパー１３に投入すると、この小袋ａは回転中の剣山ドラム４によって破袋部Ａに巻き込まれたのち、切開刃８を通過するときにこの切開刃８により切れ長に、殆んど小袋ａ全体が切り裂かれる。このようにして破袋されると、内容物の一部は小袋ａ内から流出し、小袋ａは剣山スクレーパー１５の作用で剣山ドラム４から離れて下方に落下する。この破袋手段Ａの下には、圧搾手段Ｂが待ち受けていて、小袋ａはこの圧搾手段ＢのＶベルト２０又はメッシュベルトで受け止められたのち、搾りドラム１７とＶベルト２０又はメッシュベルト間で圧搾される。この結果、小袋ａ内の内容物はすべて搾り出される。
内容物が搾り出され、偏平となった小袋ａは、搾りドラムスクレーパー２４の作用で搾りドラム１７とＶベルト２０又はメッシュベルト間から廃袋シュート２５を経由して機外に排出される。一方、小袋ａ内から搾り出された内容物は、Ｖベルト２０又はメッシュベルトから廃液手段Ｃの廃液ホッパー２６内に流下して集液されたのち、機外に排出される。
【００１９】
【発明の効果】
本発明に係る小袋は以上のように、調味液等を密封した小袋をホッパーから投入し、剣山ドラムで切開刃のところに巻き込んで切開し、次にこの切開した小袋を搾りドラムとＶベルト又はメッシュベルトで圧搾することにより小袋内に残留していた調味液等を搾り出し、その上で小袋と調味液等を分別する構成とした。
この結果、次の効果を奏する。
１．小袋は、剣山ドラムの作用で切開刃のところに巻き込み、自動的に切開するため、多量の小袋の切開を能率的に行うことができる。
２．一旦切開された小袋内に残留している調味液等は、搾りドラムとＶベルト又はメッシュベルトで自動的に、能率的に、そして残らず搾り出されてしまうため、小袋の廃棄に際して調味液等の残留が障害とならない。
３．小袋と調味液等を確実に分別できるため、その後の小袋と調味液等の廃棄がしやすい。
【図面の簡単な説明】
【図１】本発明に係る小袋破袋機の正面図。
【図２】本発明に係る小袋破袋機の側面図。
【図３】剣山ドラムの正面図。
【図４】剣山ドラムの側面図。
【図５】剣山ドラムの突起の説明図。
【図６】切開刃とこの取付金具及び取付部ガイドの説明図。
【図７】切開刃とこの取付金具及び取付部ガイドの正面図。
【図８】切開刃とこの取付金具及び取付部ガイドの側面図。
【図９】切開刃とこの取付金具及び取付部ガイド部分の拡大図。
【図１０】破袋手段、圧搾手段、廃液手段の作用の説明図。
【図１１】切開刃で小袋を破袋（カット）している状態の説明図。
【符号の説明】
１  機体
４  剣山ドラム
８  切開刃
１７  搾りドラム
２０  Ｖベルト
２６  汁受ホッパー
２８  駆動用モータ
３１  伝導用チェン
【図１】
0003653262.tif 000002
【図２】
0003653262.tif 000003
【図３】
0003653262.tif 000004
【図４】
0003653262.tif 000005
【図５】
0003653262.tif 000006
【図６】
0003653262.tif 000007
【図７】
0003653262.tif 000008
【図８】
0003653262.tif 000009
【図９】
0003653262.tif 000010
【図１０】
0003653262.tif 000011
【図１１】
0003653262.tif 000012